(57)【特許請求の範囲】
【請求項１】
取付具を介してノズルをホース本体に取り付けるようにしたシャワー用ホースであって、
前記取付具を、前記ホース本体の先端に取り付けるようにした口金及び締め輪と、この締め輪の後端に係止部を介して回動可能に係止されて、前端に前記ノズルを取り付けるネジ部を有したノズル取付金具と、このノズル取付金具の段部に係止部にて係止される表装筒金具と、この表装筒金具の後端に螺着されて前記ホース本体の前端部を覆うホースカバーとを備えたものとして、
前記ノズルが前記ノズル取付金具を介して前記ホース本体の先端に一体的に取り付けられるとともに、このノズル取付金具が、一体となった前記表装筒金具及びホースカバーと、前記口金との間で回動し得るようにしたことを特徴とするシャワー用ホース。
【発明の詳細な説明】
【技術分野】
【０００１】
本発明は、シャワー用ホースに関し、特にノズルの盗難防止機能を有したシャワー用ホースに関するものである。
【背景技術】
【０００２】
例えば、浴室に設置された水栓には、図１にも示すように、ホースを介してシャワーノズル（以下、単にノズルという）が接続され、このノズルからシャワーが吐出されて、身体の洗浄や暖めに使用される。
【０００３】
このようなシャワーに使用されるノズルとしては、種々なデザインのものや、シャワー水に脈動や空気を加えてマッサージ効果が高まるようにしたり、あるいは水栓側ではなくノズル側での止水が行えるようにする等、種々な機構を有するものが提案されてきている。
【０００４】
このようなシャワーノズルは、銭湯や大浴場、あるいはプールにおいて大量に使用されているが、特許文献１の段落０００３にも記載されているように、「従来のシャワーヘッド用取付具は、先端にシャワーヘッドを螺合して取り付ける簡単な構成であり、誰でも容易に取り外せることから、公衆浴場やプール等に設置されているものは、シャワーヘッドが外されて持ち帰られるという難点があった」ものである。
【特許文献１】特開２００４−２１５９５４号公報、要約、段落０００３、代表図
【発明の開示】
【発明が解決しようとする課題】
【０００５】
そこで、この特許文献１の発明者は、「散水ヘッドの盗難を防止することができ、使用時に節水も可能となる散水ヘッドの取付具を提供する」ことを目的として、図５に示すような、「散水ヘッドの取付具」を提案したのである。
【０００６】
この特許文献１の「散水ヘッドの取付具」によれば、「使用時に節水も可能となる」と考えられるが、散水ヘッド８の給水口８ａと外筒６との両方を同時に掌で持って、ソケット９をもう一方の掌で持って回すと、このソケット９が簡単に外れ、結果的にシャワーノズルはホース１０から簡単に外すことができる、と考えられる。
【０００７】
勿論、ノズルは、その後に採用されたデザインのものに変更したり、故障したものを新たなものに交換したりする場合があるから、ホース本体に対して取り外しできるようにしておいた方がよいこともある。
【０００８】
そこで、本発明者等は、ノズルの盗難を防止することができ、しかもノズルの交換も必要に応じて簡単に行えるようにするにはどうしたらよいか、について種々検討を重ねてきた結果、ノズルを持ち去る人はそのホースまで持ち去ることはないことに気付き、本発明を完成したのである。
【０００９】
すなわち、本発明の目的とするところは、ノズルの盗難を防止することができて、ノズルの交換も必要に応じて簡単にできるシャワー用ホース１００を、簡単な構成によって提供することにある。
【課題を解決するための手段】
【００１０】
以上の課題を解決するために、本発明の採った手段は、後述する最良形態の説明中で使用する符号を付して説明すると、
「取付具２０を介してノズル３０をホース本体１０に取り付けるようにしたシャワー用ホース１００であって、
取付具２０を、ホース本体１０の先端に取り付けるようにした口金２１及び締め輪２２と、この締め輪２２の後端に係止部２３ａを介して回動可能に係止されて、前端にノズル３０を取り付けるネジ部２３ｂを有したノズル取付金具２３と、このノズル取付金具２３の段部２３ｄに係止部２４ａにて係止される表装筒金具２４と、この表装筒金具２４の後端に螺着されてホース本体１０の前端部を覆うホースカバー２５とを備えたものとして、
ノズル３０がノズル取付金具２３を介してホース本体１０の先端に一体的に取り付けられるとともに、このノズル取付金具２３が、一体となった表装筒金具２４及びホースカバー２５と、口金２１との間で回動し得るようにしたことを特徴とするシャワー用ホース１００」
である。
【００１１】
すなわち、本発明に係るシャワー用ホース１００は、取付具２０を介してノズル３０をホース本体１０に取り付けることができるようにしたものであることは勿論、ノズル３０だけの交換を前提としたものである。しかも、ノズル３０がホース本体１０から簡単には外れないようにして、ノズル３０のみの盗難を防止できるようにしたものである。
【００１２】
そのために、本発明に係るシャワー用ホース１００では、その取付具２０を、ホース本体１０の先端に取り付けるようにした口金２１及び締め輪２２と、この締め輪２２の後端に係止部２３ａを介して回動可能に係止されて、前端にノズル３０を取り付けるネジ部２３ｂを有したノズル取付金具２３と、このノズル取付金具２３の段部２３ｄに係止部２４ａにて係止される表装筒金具２４と、この表装筒金具２４の後端に螺着されてホース本体１０の前端部を覆うホースカバー２５とを備えたものとしたのである。
【００１３】
ここで、「先端」とは、その部材について、湯水が流れていく先の方になる「端」を言うものであり、「後端」とは、これとは逆の湯水が流れてくる元の方になる「端」を言うものである。例えば、「ホース本体１０の先端」とは、シャワー水の出口となるノズル３０が取り付けられる部分となり、「ホース本体１０の後端」とは、水栓側に取り付けられる部分、後述する最良形態では、図２の（ａ）の下端部分に示した水栓取付具４０が取り付けられる部分ということになる。また、ノズル３０そのものは、浴室で使用するものは勿論、例えば庭先で散水するために使用されるものをも含む。
【００１４】
まず、この取付具２０を構成している口金２１及び締め輪２２は、図４に示すように、ホース本体１０の先端に取り付けられているが、その取付は、締め輪２２をホース本体１０の先端外周に差し込んで少し後端側に移動させておいてから、口金２１の筍部２１ｂをホース本体１０の先端内に差し込み、その後に締め輪２２をホース本体１０の先端側に戻すことによって行われるのである。これは、ホース本体１０の先端にものを取り付ける際に一般的に行われていることである。
【００１５】
ホース本体１０の先端に取り付けるようにした締め輪２２の後端には、図３に示すように、ノズル取付金具２３が係止部２３ａを介して回動可能に係止されている。このノズル取付金具２３は、前端にノズル３０を取り付けるネジ部２３ｂを有していて、ホース本体１０の先端に対して回動可能となっている。つまり、このノズル取付金具２３は、ホース本体１０の先端にノズル３０を取り付けるものであるが、ホース本体１０の先端に対してノズル３０とともに回動可能になっており、かつ、その係止部２３ａが締め輪２２の後端に係合していることにより、ホース本体１０の先端に対して抜け止めされているのである。
【００１６】
そして、このノズル取付金具２３の先端外周には段部２３ｄが形成してあって、この段部２３ｄに係合する係止部２４ａを有した表装筒金具２４が、当該ノズル取付金具２３の外側に回動可能に嵌合してあり、この表装筒金具２４の後端部にはホースカバー２５が一体的に取り付けてある。
【００１７】
このホースカバー２５は、図３にも示すように、ホース本体１０の先端部、つまり口金２１と締め輪２２によって挟み込まれているホース本体１０の部分及びその直ぐ後端側部分を覆うものである。また、このホースカバー２５の先端部の内側には、図３にも示すように、係合部２５ｂが形成してあり、この係合部２５ｂは、ノズル取付金具２３の後端に係止するものである。
【００１８】
以上の結果、表装筒金具２４の先端の係止部２４ａがノズル取付金具２３の段部２３ｄに係合するとともに、ホースカバー２５の係合部２５ｂがノズル取付金具２３の後端に係合し、これらの表装筒金具２４及びホースカバー２５は、そのネジ部２４ｂ及びネジ部２５ａによって一体的なものとなっているから、結果的に、これら一体化された表装筒金具２４及びホースカバー２５は、ノズル取付金具２３に対して先端側へも後端側へも抜け止めされていて、かつノズル取付金具２３に対して回動可能になっているのである。
【００１９】
以上の結果、このシャワー用ホース１００においては、ノズル３０がノズル取付金具２３を介してホース本体１０の先端に一体的に取り付けられるとともに、表装筒金具２４とホースカバー２５とが一体となってノズル取付金具２３に対して回動し得るようになっており、これらの一体化された表装筒金具２４とホースカバー２５とがノズル取付金具２３に対して抜け止めされているのである。さらに、ノズル取付金具２３は、一体となった表装筒金具２４及びホースカバー２５と、口金２１との間で、回動し得るようになっているのである。
【００２０】
さて、以上のシャワー用ホース１００からノズル３０を取り外そうとして、一体化された表装筒金具２４とホースカバー２５を一方の掌で握って、他方の掌でノズル３０を回転させても、ノズル３０及びこれを取り付けているノズル取付金具２３が、一体化された表装筒金具２４とホースカバー２５との中でただ空回りするのみとなり、ノズル３０をノズル取付金具２３から外すことはできない。
【００２１】
それなら、ということで、ホースカバー２５の後端部とこれから露出しているホース本体１０の一部を一方の掌で同時に握り、他方の掌でノズル３０を握ってこれを回転させようとしても、ノズル取付金具２３は、一体となった表装筒金具２４及びホースカバー２５と、口金２１との間で、回動するだけであるから、この場合もノズル３０をノズル取付金具２３から外すことができないのである。
【発明の効果】
【００２２】
以上の通り、本発明においては、
「取付具２０を介してノズル３０をホース本体１０に取り付けるようにしたシャワー用ホース１００であって、
取付具２０を、ホース本体１０の先端に取り付けるようにした口金２１及び締め輪２２と、この締め輪２２の後端に係止部２３ａを介して回動可能に係止されて、前端にノズル３０を取り付けるネジ部２３ｂを有したノズル取付金具２３と、このノズル取付金具２３の段部２３ｄに係止部２４ａにて係止される表装筒金具２４と、この表装筒金具２４の後端に螺着されてホース本体１０の前端部を覆うホースカバー２５とを備えたものとして、
ノズル３０がノズル取付金具２３を介してホース本体１０の先端に一体的に取り付けられるとともに、このノズル取付金具２３が、一体となった表装筒金具２４及びホースカバー２５と、口金２１との間で回動し得るようにしたこと」
にその構成上の特徴があり、これにより、ノズル３０の盗難を防止することができて、ノズル３０の交換も必要に応じて簡単にできるシャワー用ホース１００を、簡単な構成によって提供することができるのである。
【発明を実施するための最良の形態】
【００２３】
以上のように構成した本発明を、図面に示した最良の形態であるシャワー用ホース１００について説明すると、図１には、本発明に係るシャワー用ホース１００を、その水栓取付具４０を利用して水栓に取り付け、ノズル３０からシャワーを噴出させている状態が示してある。
【００２４】
このシャワー用ホース１００は、図２の（ａ）及び（ｂ）に示したように、後端に水栓への取付を行う水栓取付具４０を設けたホース本体１０と、このホース本体１０の先端部に取り付けるようにした取付具２０とからなっている。勿論、このシャワー用ホース１００には、取付具２０によってホース本体１０の先端にノズル３０を取り付けることができるものである。
【００２５】
ホース本体１０は、一般的に使用されているものであり、先端に取り付けるようにしたノズル３０を、身体のあらゆる部分に自由に向けられるようにするための、十分な可撓性を有したものである。水栓取付具４０も、この種のホース本体に採用されている一般的なもので、図１に示したような水栓に接続するのに適したものである。勿論、水栓の形式に合わせた水栓取付具４０とすることは自由にできる。
【００２６】
勿論、ホース本体１０の後端に取り付けられるノズル３０についても種々なものが採用できるが、次に述べるノズル取付金具２３のネジ部２３ｂにねじ込める部分は必要である。本最良形態のノズル３０のねじ込み部は、一般的なノズルと同様なものであり、この種のシャワーノズルの規格に適したものとなっている。逆に言えば、ノズル取付金具２３のネジ部２３ｂは、一般的なノズルのねじ込み部がねじ込めるような規格にしてある。
【００２７】
さて、取付具２０であるが、この取付具２０は、図３にも示したように、ホース本体１０の先端に取り付けるようにした口金２１及び締め輪２２と、この締め輪２２の後端に係止部２３ａを介して回動可能に係止されて、前端にノズル３０を取り付けるネジ部２３ｂを有したノズル取付金具２３と、このノズル取付金具２３の段部２３ｄに係止部２４ａにて係止される表装筒金具２４と、この表装筒金具２４の後端に螺着されてホース本体１０の前端部を覆うホースカバー２５とを備えている。
【００２８】
口金２１は、図４に示したように、後述するＵパッキング２６が取り付けられるパッキング溝２１ａと、ホース本体１０の先端に開口している穴内に無理嵌めされる筍部２１ｂを有しており、中心には、図３にも示したように、湯水が通る通路が形成してある。
【００２９】
締め輪２２は、口金２１の筍部２１ｂの外側に配置されることになるもので、ホース本体１０の先端を、図３に示したように、口金２１側の筍部２１ｂとの協働により挟持するものである。ホース本体１０を挟持したときの締め輪２２の先端は、図３に示したように、口金２１側に当接するものであり、また後端は、次に述べるノズル取付金具２３の係止部２３ａを係止することになるものである。
【００３０】
ノズル取付金具２３は、ホース本体１０を挟持している口金２１及び締め輪２２の外側を包み込む状態で配置されるものであり、その内面は、口金２１のパッキング溝２１ａ内に取り付けられたＵパッキング２６の外周に接するものである。このノズル取付金具２３は、何も取り付けてないホース本体１０の先端部に、締め輪２２よりも先に挿通されておかれるものであり、次のようにしてホース本体１０の先端部に取り付けられる。
【００３１】
このノズル取付金具２３をホース本体１０の先端部に挿通した後、上述した締め輪２２がホース本体１０の先端部に挿通される。次に、口金２１の筍部２１ｂをホース本体１０の先端開口穴内に無理嵌めして、この筍部２１ｂの周囲に位置するように締め輪２２をホース本体１０の先端まで移動させる。そして、ノズル取付金具２３をホース本体１０の先端に移動させれば、その係止部２３ａが締め輪２２の後端に当接して付け止めされることになる。
【００３２】
また、このノズル取付金具２３の外周面には、図３に示したように、Ｏリング２７が取り付けられる収納溝２３ｃと、一つの工具穴２３ｅが形成してある。勿論、このノズル取付金具２３は、文字通りノズル３０を取り付けるものであるから、その先端部には、ノズル３０のねじ込み部がねじ込まれるネジ部２３ｂが形成してある。そして、このネジ部２３ｂの開口端の外周には、次に述べる表装筒金具２４側の係止部２４ａが係止されることになる段部２３ｄが形成してある。なお、このノズル取付金具２３の係止部２３ａの後端面は、後述するホースカバー２５側の係合部２５ｂを係止できる段部としてある。
【００３３】
表装筒金具２４は、ノズル取付金具２３の外側からこのノズル取付金具２３に嵌合されるものであり、その係止部２４ａがノズル取付金具２３側の段部２３ｄに係合することにより、それ以上にノズル取付金具２３側に嵌合されることがないものである。また、この表装筒金具２４の後端部内側には、次に述べるホースカバー２５のネジ部２５ａが螺合されるネジ部２４ｂが形成してある。なお、この表装筒金具２４の側面には、図２の（ｂ）に示したように、ノズル取付金具２３側の工具穴２３ｅに対応する位置に一つの工具穴２４ｃが形成してある。
【００３４】
ホースカバー２５は、前述したノズル取付金具２３よりも先にホース本体１０に嵌め込まれておかれるものであり、その先端部外周には、表装筒金具２４側のネジ部２４ｂ内に螺合されるべきネジ部２５ａが形成してある。このネジ部２５ａによってノズル取付金具２３側に取り付けられる際には、その螺合が簡単に解かれることがないようにするために、接着剤が使用される。また、当該ホースカバー２５の長さは、図２の（ｂ）及び図３に示したように、ノズル取付金具２３と同じ程度の長さになるようにして、中のホース本体１０が十分捻れるようなものにしてある。
【００３５】
以上のようにしたシャワー用ホース１００では、ノズル３０を素手で外そうとしても、一体となった表装筒金具２４及びホースカバー２５が空回りしたり、ホース本体１０がホースカバー２５内で捻れるだけとなったりして、ノズル３０のねじ込み部をノズル取付金具２３のネジ部２３ｂから簡単に外せないことは前述した通りであるが、場合によっては、ホース本体１０からノズル３０を外す必要があることもある。例えば、共同浴場に設置されているシャワー用ホース１００のように、不特定多数の人が毎日使用するものにあっては、故障したノズル３０を修理しなければならないことが十分あり得る。
【００３６】
ノズル３０の取り外しが必要なときには、図３に示したように工具５０を使用するのである。この工具５０は、管理をしなければならない共同浴場側において用意しておけばよいものであり、当該シャワー用ホース１００の近くに置いておく必要がないことは言うまでもない。勿論、ノズル３０を取り付ける際にも、またノズル３０の交換を行う場合にも、この工具５０は、上述したようにして使用されるものである。
【００３７】
この工具５０を使用するには、図３に示したように、ノズル取付金具２３側の工具穴２３ｅと表装筒金具２４側の工具穴２４ｃとが一致するように表装筒金具２４またはホースカバー２５を回転させるのである。両工具穴２３ｅ・２４ｃが一致すれば、工具５０をその中に挿入すると、一体化された表装筒金具２４及びホースカバー２５は、ノズル取付金具２３に対して回転しないようになる。そこで、この表装筒金具２４またはホースカバー２５を持ってノズル３０を回転させれば、そのねじ込み部とノズル取付金具２３側のネジ部２３ｂとの螺合を解くことができ、ノズル３０を外すことができるのである。
【図面の簡単な説明】
【００３８】
【図１】本発明に係るシャワー用ホースを水栓に取り付けた状態を示す斜視図である。
【図２】同シャワー用ホースを拡大して示すもので、（ａ）は部分破断正面図、（ｂ）は先端部の正面図である。
【図３】同シャワー用ホースを構成している取付具を示す拡大断面図である。
【図４】同取付具を構成している口金及び締め輪を拡大して示す部分破断正面図である。
【図５】従来の技術を示す拡大断面図である。
【符号の説明】
【００３９】
１００    シャワー用ホース
１０    ホース本体
２０    取付具
２１    口金
２１ａ  パッキング溝
２１ｂ  筍部
２２    締め輪
２３    ノズル取付金具
２３ａ  係止部
２３ｂ  ネジ部
２３ｃ  収納溝
２３ｄ  段部
２３ｅ  工具穴
２４    表装筒金具
２４ａ  係止部
２４ｂ  ネジ部
２４ｃ  工具穴
２５    ホースカバー
２５ａ  ネジ部
２５ｂ  係合部
２６    Ｕパッキング
２７    Ｏリング
３０    ノズル
４０    水栓取付具
５０    工具
【要約】
【課題】ノズル３０の盗難を防止することができて、ノズルの交換も必要に応じて簡単にできるシャワー用ホース１００を、簡単な構成によって提供すること。
【解決手段】取付具２０を、ホース本体１０の先端に取り付けるようにした口金２１及び締め輪２２と、この締め輪２２の後端に係止部２３ａを介して回動可能に係止されて、前端にノズル３０を取り付けるネジ部２３ｂを有したノズル取付金具２３と、このノズル取付金具２３の段部２３ｄに係止部２４ａにて係止される表装筒金具２４と、この表装筒金具２４の後端に螺着されてホース本体１０の前端部を覆うホースカバー２５とを備えたものとしたこと。
【選択図】図３【図１】
0004243737.tif 000002
【図２】
0004243737.tif 000003
【図３】
0004243737.tif 000004
【図４】
0004243737.tif 000005
【図５】
0004243737.tif 000006